(57)【要約】【課題】装置本体の前面に操作部を備える画像形成装置において、機能選択操作を簡単明瞭なものとして、画像形成装置の操作性の向上を図る。【解決手段】操作部７は、二以上の操作面２０を有する扁平形状、或いは柱形状とする。各操作面２０には互いに異なる機能を割り当てる。操作部７は、その長手方向に略平行に形成された回転軸９、或いはその短手方向に略平行に形成された回転軸９まわりに回転自在とする。操作部７を回転軸９まわりに回転操作して、いずれか一つの操作面２０を上向きに指向させることにより、該操作面２０を操作できるようにする。これにより、機能選択操作の簡単明瞭化を図ることができるので、操作性に優れた画像形成装置を得ることができる。【選択図】図１
2007326343.tif 000002
【特許請求の範囲】
【請求項１】
装置本体の前面に操作部を備える画像形成装置において、
前記操作部は、少なくとも二以上の操作面を有する扁平形状、或いは柱形状を呈しており、各操作面には互いに異なる機能が割り当てられており、
前記操作部が、その長手方向に略平行に形成された回転軸、或いはその短手方向に略平行に形成された回転軸まわりに回転自在に構成されていることを特徴とする画像形成装置。
【請求項２】
前記操作部は、四つの外壁面を有する四角柱形状を呈しており、この操作部は左右方向に伸びる回転軸まわりに、前記装置本体に対して回転自在に構成されており、
四つの外壁面のそれぞれに、表示画面と操作ボタンとが配設されている請求項１記載の画像形成装置。
【請求項３】
前記操作部は、四つの外壁面を有する四角柱形状を呈しており、この操作部は左右方向に伸びる回転軸まわりに、前記装置本体に対して回転自在に構成されており、
四つの外壁面のそれぞれに、操作ボタンが配設されており、
前記装置本体の操作部の近傍に、一つの表示画面が配設されている請求項１記載の画像形成装置。
【請求項４】
前記操作部は、表裏に二つの平坦面を有する扁平四角箱状を呈しており、この操作部は前後方向に伸びる回転軸まわりに、前記装置本体に対して回転自在に構成されており、
二つの平坦面のそれぞれに、表示画面と操作ボタンとが配設されている請求項１記載の画像形成装置。
【請求項５】
前記操作部は、表裏に二つの平坦面を有する扁平四角箱状を呈しており、この操作部は前後方向に伸びる回転軸まわりに、前記装置本体に対して回転自在に構成されており、
二つの平坦面のそれぞれに、操作ボタンが配設されており、
前記装置本体の操作部の近傍に、一つの表示画面が配設されている請求項１記載の画像形成装置。
【発明の詳細な説明】
【技術分野】
【０００１】
本発明は、複写機、ファクシミリ装置等の電子写真式の画像形成装置に関する。
【背景技術】
【０００２】
複写機等の画像形成装置の分野では、機能の多様化が日進月歩で進んでいる。しかしながら、機能の多様化が進むにつれて、操作パネルを使った操作手順が複雑化して、装置全体の操作性が悪化する不具合が認められた。
【０００３】
つまり、操作パネルの限られた操作面内に、全ての機能に応じた操作ボタンを配置することは実質的に不可能であるため、従前においては、機能の切替え操作ボタンとテンキーボタンとを組み合わせることで、各機能に応じた所定の操作機能を与える方法が広く採用されていた。しかし、この方法では、機能が多様化すると、ボタンの組み合わせ操作が複雑化、煩雑化することが避けられず、良好な操作性を得ることは困難であった。
【０００４】
そこで近年においては、操作パネルの表示画面としてタッチパネル式の液晶表示画面を採用し、それぞれの機能に応じたボタン群を表示画面に重畳的に表示させることで、操作性の向上を図る方法が広く採用されている。
また、特許文献１には、入力操作具としての操作ダイヤルを採用した形態が示されている。そこでは、操作ダイヤルを回転操作、或いは押圧操作するだけで、タッチパネル上の操作ボタンなどの他の操作ボタンの操作を要することなく、機能の選択操作や切替操作などを実行できるようにしている。
【特許文献１】特開２０００−３２１９３６号公報
【発明の開示】
【発明が解決しようとする課題】
【０００５】
しかし、従来のように、タッチパネル式の液晶表示画面に、機能に応じた操作ボタンを重畳的に分類表示させる形態であっても、操作パネル、或いは液晶表示画面に並んだ複数個の操作ボタンを操作して機能を選択する動作は、簡単明瞭であるとは言い切れず、とくに高齢者などにとって機能選択操作は依然として難しいものであった。また、特許文献１のように操作ダイヤルを採用すれば、軽滑な操作性が得られるものの、操作ダイヤルに不慣れな使用者にとっては、当該操作ダイヤル自体が混乱を招く元凶となることがあり、必ずしも当該ダイヤルが有効であると言い切れない。
【０００６】
本発明は以上のような問題点を解決するためになされたものであり、機能選択操作を簡単明瞭なものとして、画像形成装置の操作性の向上を図ることを目的とする。
【課題を解決するための手段】
【０００７】
請求項１記載の本発明は、装置本体の前面に操作部を備える画像形成装置を対象とする。そこでの操作部は、少なくとも二以上の操作面を有する扁平形状、或いは柱形状を呈しており、各操作面には互いに異なる機能が割り当てられている。そして、前記操作部が、その長手方向に略平行に形成された回転軸、或いはその短手方向に略平行に形成された回転軸まわりに回転自在に構成されていることを特徴とする。
【０００８】
本発明において、それぞれの操作面に割り当てられる「機能」としては、複合機におけるファクシミリ機能やコピー機能を挙げることができる。
また、それぞれの操作面に、ユーザー別に割り当てられた専用の機能を割り当てることもでき、本発明における「機能」には、このような「ユーザー別の機能」も含まれる。
【０００９】
具体的には、請求項２のように、前記操作部は、四つの外壁面を有する四角柱形状を呈しており、この操作部は左右方向に伸びる回転軸まわりに、前記装置本体に対して回転自在に構成されており、四つの外壁面のそれぞれに、表示画面と操作ボタンとが配設された形態を採ることができる。なお、本請求項における操作ボタンとは、一つのボタンを示すものではなく、コピースタートボタンやテンキーボタンなどの複数個のボタン群を意味しており、以下の請求項においても同様である。
【００１０】
また、請求項３のように、前記操作部は、四つの外壁面を有する四角柱形状を呈しており、この操作部は左右方向に伸びる回転軸まわりに、前記装置本体に対して回転自在に構成されており、四つの外壁面のそれぞれに、操作ボタンが配設されており、前記装置本体の操作部の近傍に、一つの表示画面が配設された形態を採ることができる。
【００１１】
また、請求項４のように、前記操作部は、表裏に二つの平坦面を有する扁平四角箱状を呈しており、この操作部は前後方向に伸びる回転軸まわりに、前記装置本体に対して回転自在に構成されており、二つの平坦面のそれぞれに、表示画面と操作ボタンとが配設された形態を採ることができる。
【００１２】
また、請求項５のように、前記操作部は、表裏に二つの平坦面を有する扁平四角箱状を呈しており、この操作部は前後方向に伸びる回転軸まわりに、前記装置本体に対して回転自在に構成されており、二つの平坦面のそれぞれに、操作ボタンが配設されており、前記装置本体の操作部の近傍に、一つの表示画面が配設された形態を採ることができる。
【発明の効果】
【００１３】
請求項１記載によれば、扁平形状、或いは柱形状の操作部を回転軸まわりに回転操作させて、ユーザーが所望する機能が割り当てられた操作面を上向きに指向させることで、当該操作面に対する操作を行うことが可能となる。つまり、操作部を回転操作して、ユーザーが所望する操作面を上向きに指向させるだけで、実質的にファクシミリ機能、或いはコピー機能などの機能を選択することができる。操作面のそれぞれを一人のユーザー専用の操作面としておけば、操作部を回転操作するだけで、ユーザー専用の操作面を選択できる。これにて、従来形態に比べて、機能選択操作を簡単明瞭なものとして、操作性に優れた画像形成装置を得ることができる。
【００１４】
請求項２によれば、回転軸まわりに回転可能に装着された四角柱形状の操作部を構成する四つの外壁面のそれぞれに、異なる機能が割り当てられた操作面を配設したので、操作部を回転軸まわりに回転させて、ユーザーが所望する操作面（外壁面）を上向きに指向させるだけの簡単な操作でもって、機能の選択操作を行うことができる。これにて、従来に比べて機能選択操作を簡単明瞭なものとすることができるので、操作性に優れた画像形成装置を得ることができる。
また、四つの外壁面のそれぞれに、機能に応じた専用の操作ボタンだけでなく専用の表示画面も配設したので、それぞれの操作面に優れた操作性を与えることができる。
【００１５】
請求項３によれば、回転軸まわりに回転可能に装着された四角柱形状の操作部を構成する四つの外壁面のそれぞれに、異なる機能が割り当てられた操作面を配設したので、操作部を回転軸まわりに回転させて、ユーザーが所望する操作面（外壁面）を上向きに指向させるだけの簡単な操作でもって、機能の選択操作を行うことができる。これにて、従来に比べて機能選択操作を簡単明瞭なものとすることができるので、操作性に優れた画像形成装置を得ることができる。
また、四つの外壁面のそれぞれに、機能に応じた専用の操作ボタンだけを配設し、表示画面は装置本体側に固定として全操作面で共用としたから、それぞれの操作面の優れた操作性を確保しながら、表示画面の数を減じて、画像形成装置の低コスト化に貢献することができる。
【００１６】
請求項４によれば、回転軸まわりに回転可能に装着された扁平四角箱状の操作部を構成する上下二つの平坦面のそれぞれに、異なる機能が割り当てられた操作面を配設したので、操作部を回転軸まわりに回転させて、ユーザーが所望する操作面（平坦面）を上向きに指向させるだけの簡単な操作でもって、機能の選択操作を行うことができる。これにて、従来に比べて機能選択操作を簡単明瞭なものとすることができるので、操作性に優れた画像形成装置を得ることができる。
二つの平坦面のそれぞれに、機能に応じた専用の操作ボタンだけでなく専用の表示画面も配設したので、それぞれの操作面に優れた操作性を与えることができる。
【００１７】
請求項５によれば、回転軸まわりに回転可能に装着された扁平四角箱状の操作部を構成する上下二つの平坦面のそれぞれに、異なる機能が割り当てられた操作面を配設したので、操作部を回転軸まわりに回転させて、ユーザーが所望する操作面（平坦面）を上向きに指向させるだけの簡単な操作でもって、機能の選択操作を行うことができる。これにて、従来に比べて機能選択操作を簡単明瞭なものとすることができるので、操作性に優れた画像形成装置を得ることができる。
また、二つの平坦面のそれぞれに、機能に応じた専用の操作ボタンだけを配設し、表示画面は装置本体側に固定として全操作面で共用としたから、それぞれの操作面の優れた操作性を確保しながら、表示画面の数を減じて、画像形成装置の低コスト化に貢献することができる。
【発明を実施するための最良の形態】
【００１８】
（第１実施形態）
以下に、本発明に係る画像形成装置を複合機に適用した第１実施形態について、図面を参照して説明する。図１は複合機の簡略斜視図、図２は要部の横断面図、図３は図２のＡ−Ａ線断面図である。なお、以下においては、複合機の通常使用状態における上、下の方向をそれぞれ上方、下方とする。また、図１乃至図３において操作ユニット７が配置された方向（白抜き矢印Ｙ１の方向）を「前方」とし、これとは反対の方向を「後方」と規定する。さらに当該前後方向と、水平方向において直交する方向を左右方向と規定する。
【００１９】
この複合機は、いわゆる胴内排紙タイプの画像形成装置であり、装置本体１の下部に配された複数個の給紙カセット２と、これら給紙カセット２の上方に配された画像形成部３と、画像形成部３の上方に胴内排紙空間４を介して配された画像読取部５とを備える。符号５ａは、画像読取部５の上方に組み付けられた自動原稿送り装置を示す。給紙カセット２から送り出された用紙は、画像形成部３によりトナー像が定着されたのちに、胴内排紙空間４内に積載される。
【００２０】
画像読取部５の前面縁に形成された装着部８内には、複合機を操作するための操作ユニット（操作部）７が組み付けられている。この操作ユニット７は、左右横長の四角柱状を呈している。詳しくは、操作ユニット７は、左右方向に走る四つの長方形状の外壁面（操作面２０：後述）と、左右一対の正方形状の側面２３・２３とを具備する四角柱状の外殻形状を有する左右横長のケースを基体として構成される。
【００２１】
装着部８は、画像読取部５の前端縁の左右方向の中央部に、後方向に向かった切り欠き形成された左右横長の凹部であり、上下面および前面が開放するポケット状に形成されている（図２参照）。装着部８の左右の幅寸法は、操作ユニット７の左右の幅寸法よりも僅かに大きく設定されている。
【００２２】
図２に示すように、操作ユニット７の左右の側面２３・２３のそれぞれの盤面中央には、円柱状の回転軸９・９が左右の外向きに張出し形成されており、操作ユニット７は、装着部８内において、これら回転軸９・９で両持ち状に支持された水平姿勢で回転自在に組み付けられる。図２において符号１０は、画像読取部５の装着部８の左右の側壁１１に開設された丸孔状の開口部を、符号１２は該開口部１０に内嵌装着された軸受パッキンを示す。軸受パッキン１２は、回転軸９が挿通される挿通孔を有する筒部１５と、筒部１５の左右両端に形成されて側壁１１を挟持する抜け止め用のフランジ１６・１６とを一体に成形してなる樹脂成形品であり、操作ユニット７の回転軸９・９まわりの回転操作性の向上を目的として配設される。
【００２３】
操作ユニット７の水平方向（左右方向）に伸びる四つの外壁面のそれぞれには、操作面２０が設けられている。各操作面２０には、表示手段および操作手段として機能するタッチパネル式の液晶画面（表示画面）２１と複数個の操作ボタン２２とが設けられている。つまり、操作ユニット７の四つの外壁面のそれぞれに、一つの液晶画面２１と複数個の操作ボタン２２とを有する操作面２０が設けられている。
【００２４】
本実施形態では、四つの操作面２０のそれぞれは、一名のユーザーの専用の操作面とされている。つまり、四つの操作面２０のそれぞれには、予めユーザーが設定・選択した機能が割り当てられている。各操作面２０のボタン配列を、予めユーザーが選択したボタン配列としてもよい。
【００２５】
画像読取部５の筐体内には、操作ユニット７をいずれか一つの操作面２０が上方に指向するような（水平面となるような）姿勢状態に保持するためのロック機構Ｒが設けられている。図２に示すように、このロック機構Ｒは、操作ユニット７に対向する画像読取部５の筐体内部に、左右方向にスライド自在に組み付けられたロック片３０と、このロック片３０が係合する操作ユニット７側の係合部３１とを主要構成要素とする。
【００２６】
ロック片３０は、回転軸９まわりの操作ユニット７の回転軌跡に臨んで係合部３１に係合するロック姿勢と、該回転軌跡から退避するアンロック姿勢との間で左右方向にスライド変位可能に構成されるロック爪３２と、画像読取部５の筐体内で左右方向にスライド移動可能に支持されて、ロック姿勢とアンロック姿勢との間でロック爪３２を変位させるスライド体３３と、スライド体３３をスライド操作するための操作ノブ３４とを一体に成形してなる樹脂成形品であり、捻りコイル形の押しバネ３５により、ロック爪３２がロック姿勢となる方向に移動付勢されている。ロック爪３２は、装着部８の側壁１１に開設された爪開口３６を介して、操作ユニット７の右側面に臨んでいる。なお、図２において、符号３７は、スライド体３３を左右方向にスライド移動可能に支持することを目的として、画像読取部５の筐体内に設けられたガイド壁を示す。操作ノブ３４は、画像読取部５の前面に開設された左右横長の長方形状の開口部３９を介して、装置本体１の前方に臨んでいる。
【００２７】
図３に示すように、係合部３１は、操作面２０に対応して操作ユニット７の右側面に凹み形成された四つの陥没穴４０で構成される。これら陥没穴４０は、回転軸９を中心とする同心位置に等間隔（９０°間隔）を置いて形成されており、ロック爪３２の突端をいずれか一つの陥没穴４０内に進入させたロック姿勢としたとき、一つの操作面２０が、上方に指向する操作姿勢となるように構成されている。かかる操作姿勢としたとき、上方に指向する操作面２０と画像読取部５の上面とは、面一状となるようにされている。
【００２８】
画像形成装置を操作するユーザーが、当該ユーザー専用の操作面２０を現出させるには、操作ユニット７を回転軸９まわりに回転変位させて、その操作面２０を上向きに指向させればよい。具体的には、バネ３５の付勢力に抗して、操作ノブ３４を操作ユニット７から遠ざかる方向（右方向：図２参照）にスライド操作して、ロック爪３２をロック姿勢からアンロック姿勢に変位させて、ロック爪３２の陥没穴４０に対する係合状態を解除してから、操作ユニット７を回転軸９まわりに回転操作させて、ユーザーが所望する操作面２０を上向きに指向させる。この状態から操作ノブ３４から手を離すと、陥没穴４０にロック爪３２が係合して、操作ユニット７は回転不能に姿勢保持される。これにて、操作ユニット７の回転軸９まわりの不用意な揺動を阻止して、操作面２０に対する入力操作を支障無く行うことが可能となる。また、前面に指向する操作面２０に対する操作も可能である。
【００２９】
以上のように本実施形態においては、左右方向に伸びる回転軸９まわりに回転可能に装着された四角柱状の操作ユニット７の四つの外壁面のそれぞれに、ユーザーが選択した機能が割り当てられた操作面２０を配設したので、操作ユニット７を回転させて、ユーザーが所望する操作面２０を上向きに指向させるだけの簡単な操作でもって、ユーザー自身の専用の操作面２０を選択操作できる。これにて、従来に比べて機能選択操作を簡単明瞭なものとすることができるので、操作性に優れた画像形成装置を得ることができる。
【００３０】
（第２実施形態）
図４に本発明の第２実施形態を示す。この第２実施形態においては、操作ユニット７の左右方向に伸びる四つの外壁面のそれぞれには、機能に応じた操作ボタン２２のみが配設されており、一つの液晶画面２１が画像読取部５に固定されている点が、先の第１実施形態と相違する。つまり、操作ユニット７の四つの操作面２０のそれぞれには、機能入力操作を担う操作ボタン２２のみが配設されており、各操作面２０には液晶画面２１は設けられておらず、液晶画面２１は、操作ユニット７の近傍の装置本体１（画像読取部５）に設けられている。操作ユニット７の左右の長さ寸法は、液晶画面２１を廃したぶんだけ、先の第１実施形態のそれに比べて短いものとされている。それ以外は、第１実施形態と同様であるので、同一の部材には同じ符号を付してその説明を省略する。
【００３１】
本実施形態に係る画像形成装置によれば、操作ユニット７を回転させて、ユーザーが所望する操作面２０を上向きに指向させるだけの簡単な操作でもって、ユーザー自身の専用の操作面２０を選択操作できる。これにて、従来に比べて機能選択操作を簡単明瞭なものとすることができるので、操作性に優れた画像形成装置を得ることができる。何よりも、液晶画面２１を画像読取部５に固定として、一つのみとしたので、操作ユニット７のそれぞれの操作面２０に液晶画面を設けていた第１実施形態に比べて、液晶画面２１の数を減じて、画像形成装置の低コスト化に貢献することができる。
【００３２】
（第３実施形態）
図５乃至図７に、本発明の第３実施形態を示す。そこでの操作ユニット７は、左右方向に長い扁平四角箱状を呈しており、上下の平坦面のそれぞれに、液晶画面２１と操作ボタン２２とを含む操作面２０が設けられている点、および該操作ユニット７が前後方向に伸びる一本の回転軸９を中心に回転可能に構成されている点が、先の第１実施形態と相違する。つまり、操作ユニット７は、正面視で時計周り或いは反時計周りに回転可能に構成されている。
【００３３】
加えて、本実施形態に係る複合機においては、一方の操作面２０にはコピー機能が、他方の操作面２０にはファクシミリ機能が割り当てられている。換言すれば、一方の操作面２０にはコピー操作に適した操作ボタン２２や液晶画面２１が設けられており、他方の操作面２０にはファクシミリ操作に適した操作ボタン２２や液晶画面２１が設けられている。回転軸９まわりに操作ユニット７を回転操作することで、両操作面２０のいずれか一方を上向きに指向させて、この上向きに指向した操作面２０の操作ボタン２２等に対する押圧入力操作が可能となる。
それ以外は、先の第１実施形態と同様であるので、同一の部材には同じ符号を付してその説明を省略する。
【００３４】
本実施形態においては、前後に伸びる一本の回転軸９まわりに回転可能に装着された扁平四角箱状の操作ユニット７の表裏の両面に、異なる機能が割り当てられた操作面２０・２０を配設したので、該操作ユニット７を回転させて、ユーザーが所望するいずれか一方の操作面２０を上向きに指向させるだけの簡単な操作でもって、実質的にファクシミリ又はコピーのいずれか一方の機能を選択することができる。これにより、従来に比べて機能選択操作を簡単明瞭なものとすることができるので、操作性に優れた画像形成装置を得ることができる。
【００３５】
（第４実施形態）
図８に、本発明の第４実施形態を示す。そこでは操作ユニット７の左右方向に伸びる四つの外壁面のそれぞれには、機能に応じた操作ボタン２２のみが配設されており、液晶画面２１は、画像読取部５に固定とされている点が、先の第３実施形態と相違する。つまり、操作ユニット７の２つの操作面２０のそれぞれには、機能入力操作を担う操作ボタン２２のみが配設されており、各操作面２０には液晶画面２１は設けられておらず、液晶画面２１は、操作ユニット７の近傍の装置本体１（画像読取部５）に設けられている。操作ユニット７の左右の長さ寸法は、液晶画面２１を廃したぶんだけ、先の第３実施形態のそれに比べて、短いものとされている。それ以外は、第３実施形態と同様であるので、同一の部材には同じ符号を付してその説明を省略する。
【００３６】
本実施形態に係る画像形成装置によれば、操作ユニット７を回転させて、ユーザーが所望する操作面２０を上向きに指向させるだけの簡単な操作でもって、実質的にファクシミリ又はコピーのいずれか一方の機能を選択することができる。これにて、従来に比べて機能選択操作を簡単明瞭なものとすることができるので、操作性に優れた画像形成装置を得ることができる。何よりも、液晶画面２１を画像読取部５に固定として、一つのみとしたので、操作ユニット７のそれぞれの操作面２０に液晶画面を設けていた第３実施形態に比べて、液晶画面２１の数を減じて、画像形成装置の低コスト化を図ることができる。
【００３７】
上記実施形態においては、操作ユニット７は、扁平四角形状、或いは四角柱状とされていたが、本発明はこれに限られず、例えば五角形の柱状であってもよく、要は二以上の操作面を有するものであればよい。装着部８の構造、回転軸９の軸受け構造、ロック機構Ｒの構造などは、上記実施形態に記載されたものに限られない。
【００３８】
上記実施形態においては、操作ユニット７に対する電力供給の仕組みや操作信号の送受信の仕組みなどについて言及しなかったが、例えば回転軸９を中空筒として、その内部に操作線や電力線などを配設する形態を採ることができる。いずれか一つの操作面２０が水平姿勢とされたときに、操作ユニット７側の電極と装着部８側の電極とがオン状態となり、これで操作ユニット７に対する電極供給や操作信号の送受信などが行われるようにしてもよい。また操作ユニット７に無線通信機能を与えて、当該操作ユニット７と装置本体１との間の操作信号等の送受信を無線により行うようにしてもよい。
【図面の簡単な説明】
【００３９】
【図１】第１実施形態に係る本発明の画像形成装置の外観斜視図である。
【図２】第１実施形態に係る画像形成装置の要部の横断面図である。
【図３】第１実施形態に係る画像形成装置の要部の縦断面図であり、図２のＡ−Ａ線断面図である。
【図４】第２実施形態に係る本発明の画像形成装置の外観斜視図である。
【図５】第３実施形態に係る本発明の画像形成装置の外観斜視図である。
【図６】第３実施形態に係る画像形成装置の要部の横断面図である。
【図７】第３実施形態に係る画像形成装置の要部の縦断面図であり、図６のＢ−Ｂ線断面図である。
【図８】第４実施形態に係る本発明の画像形成装置の外観斜視図である。
【符号の説明】
【００４０】
１  装置本体
７  操作部（操作ユニット）
９  回転軸
２０  操作面
２１  表示画面（液晶画面）
２２  操作ボタン
【図１】
2007326343.tif 000003
【図２】
2007326343.tif 000004
【図３】
2007326343.tif 000005
【図４】
2007326343.tif 000006
【図５】
2007326343.tif 000007
【図６】
2007326343.tif 000008
【図７】
2007326343.tif 000009
【図８】
2007326343.tif 000010